【事件の表示】
　特願２００６−５３１００５「スペクトルに基づいて構成した後方照明を有する多原色ディスプレイ」拒絶査定不服審判事件〔平成１６年１２月　９日国際公開、ＷＯ２００４／１０７０２５、平成１９年　１月２５日国内公表、特表２００７−５０１４４０〕について、次のとおり審決する。
【結　論】
　本件審判の請求は、成り立たない。
【理　由】
１　手続の経緯
　本願は、２００４年５月２４日（パリ条約による優先権主張外国庁受理２００３年５月２７日、米国）を国際出願日とする出願であって、平成１８年１月３０日に翻訳文が提出され、平成２２年１２月１３日及び平成２３年７月１５日に手続補正がなされ、平成２３年７月１５日付けの手続補正が同年８月２３日付けで却下されるとともに同日付けで拒絶査定がなされ、これに対して、同年１２月２６日に拒絶査定不服審判が請求されたものである。
　
２　本願発明
　本願の請求項１ないし２８に係る発明は、平成２２年１２月１３日付け手続補正によって補正された特許請求の範囲、明細書及び図面の記載からみて、その特許請求の範囲の請求項１ないし２８に記載された事項により特定されるとおりのものであると認められるところ、その請求項１に係る発明は次のとおりである。
　
「カラー画像を表示する装置であって、
　ｍ個の異なる波長スペクトルの各々の光を同時に生成可能な複数の光生成素子を備えている照明源であって、ｍが３以上であり、前記複数の光生成素子は、複数の発光ダイオードを備えている、照明源と、
　前記カラー画像の階調表現に対応する減衰パターンに応じて、前記照明源が生成する光を選択的に減衰可能な減衰素子のアレイと、
　前記減衰素子のアレイからの選択的に減衰した光を受光することができるカラー副画素フィルタ素子のアレイであって、各カラー副画素フィルタ素子が、ｎ個の異なる原色のうち１つの光を転送可能であり、ｎが４以上であり、前記副画素フィルタ素子の少なくとも１つは、前記ｍ個の波長スペクトルのうち少なくとも２つのスペクトルの実質的にその全体を完全に透過することが可能である、カラー副画素フィルタ素子のアレイと、
を備えている装置。」（以下「本願発明」という。）
　
３　刊行物の記載事項
　原査定の拒絶の理由に引用された「本願の優先日前に頒布された刊行物である国際公開第０２／１０１６４４号（以下「引用例」という。）」には、図とともに次の事項が記載されている（日本語訳には特表２００４−５２９３９６号公報を用いた。日本語訳中の下線は審決で付した。）。
　ア　「
Field Of The Invention
　The invention relates generally to color display devices, systems and methods and, more particularly, to display devices, systems and methods having improved color image reproduction capability.
　
Background Of The Invention
　Standard computer monitors and TV displays are typically based on reproduction of three, additive, primary colors (primaries), for example, red, green, and blue, collectively referred to as RGB. Unfortunately, these monitors cannot display many colors perceived by humans, since they are limited in the range of color they are capable of displaying. ・・・（中略）・・・
　There are many known types of RGB monitors, using various display technologies, including but not limited to CRT, LED, plasma, projection displays, LCD devices and others. Over the past few years, the use of color LCD devices has been increasing steadily. A typical color LCD device is schematically illustrated in Fig. 2A. Such a device includes a light source 202, an array of liquid crystal (LC) elements (cells) 204, for example, an LC array using Thin Film Transistor (TFT) active-matrix technology, as is known in the art. The device further includes electronic circuits 210 for driving the LC array cells, e.g., by active-matrix addressing, as is known in the art, and a tri-color filter array, e.g., a RGB filter array 206, juxtaposed the LC array. In existing LCD devices, each full-color pixel of the displayed image is reproduced by three sub-pixels, each sub-pixel corresponding to a different primary color, e.g., each pixel is reproduced by driving a respective set of R, G and B sub-pixels. For each sub-pixel there is a corresponding cell in the LC array. Back-illumination source 202 provides the light needed to produce the color images. The transmittance of each of the sub-pixels is controlled by the voltage applied to the corresponding LC cell, based on the RGB data input for the corresponding pixel. A controller 208 receives the input RGB data, scales it to the required size and resolution, and adjusts the magnitude of the signal delivered to the different drivers based on the input data for each pixel. The intensity of white light provided by the back-illumination source is spatially modulated by the LC array, selectively attenuating the light for each sub pixel according to the desired intensity of the sub-pixel. The selectively attenuated light passes through the RGB color filter array, wherein each LC cell is in registry with a corresponding color sub-pixel, producing the desired color sub-pixel combinations. The human vision system spatially integrates the light filtered through the different color sub-pixels to perceive a color image.
・・・（中略）・・・
　Typically, the light source providing back-illumination to LCD devices is a Cold Cathode Fluorescent Light (CCFL). Fig. 3 schematically illustrates typical spectra of a CCFL, as is known in the art. As illustrated in Fig. 3, the light source spectra include three, relatively narrow, dominant wavelength ranges, corresponding to red, green and blue light, respectively. Other suitable light sources, as are known in the art, may alternatively be used. The RGB filters in the filter sub-pixel array are typically designed to reproduce a sufficiently wide color gamut (e.g., as close as possible to the color gamut of a corresponding CRT monitor), but also to maximize the display efficiency, e.g., by selecting filters whose transmission curves generally overlap the CCFL spectra peaks in Fig. 3. In general, for a given source brightness, filters with narrower transmission spectra provide a wider color gamut but a reduced display brightness, and vice versa. For example, in applications where power efficiency is a critical consideration, color gamut width may often be sacrificed. In certain TV applications, brightness is an important consideration; however, dull colors are not acceptable.
　Fig. 4A schematically illustrates typical RGB filter spectra of existing laptop computer displays. Fig. 4B schematically illustrates a chromaticity diagram representing the reproducible color gamut of the typical laptop spectra (dashed-triangular area in Fig. 4B), as compared with an ideal NTSC color gamut (dotted triangular area in Fig. 4B). As shown in Fig. 4B, the NTSC color gamut is significantly wider than the color gamut of the typical laptop computer display and therefore, many color combinations included in the NTSC gamut are not reproducible by the typical color laptop computer display.」（１頁３行〜４頁７行）
（日本語訳）
「
本発明が属する技術分野
　本発明は、一般にカラーディスプレイ装置、システム、および方法に関し、より詳細には、カラーイメージ再現能力が向上したディスプレイ装置、システム、および方法に関する。
　
本発明の背景
　標準的なコンピュータモニタおよびＴＶディスプレイは通常、３つの加法混色の原色、例えばＲＧＢと総称される赤、緑、および青の再現に基づいている。遺憾ながら、こうしたモニタは、表示することができる色の範囲が限られているので、人間が知覚する多くの色を表示することができない。・・・（中略）・・・
　限定はしないがＣＲＴ、ＬＥＤ、プラズマ、投影ディスプレイ、ＬＣＤ装置などを含む様々なディスプレイ技術を用いた、多数の周知のタイプのＲＧＢモニタが存在する。過去数年にわたって、カラーＬＣＤ装置の使用が着実に増加している。典型的なカラーＬＣＤ装置を図２Ａに略図で示す。このような装置は、光源２０２、液晶（ＬＣ）素子（セル）のアレイ２０４、例えば当技術分野で周知の薄膜トランジスタ（ＴＦＴ）アクティブマトリックス技術を使用するＬＣアレイを含む。この装置は、例えば当技術分野で周知のアクティブマトリックスアドレッシングによってＬＣアレイセルを駆動する電子回路２１０と、ＬＣアレイと並べられた３色フィルタアレイ、例えばＲＧＢフィルタアレイ２０６とをさらに含む。既存のＬＣＤ装置では、表示されるイメージの各フルカラーピクセルが、相異なる原色に対応する３つのサブピクセルによって再現され、例えば各ピクセルは、１組のＲ、Ｇ、およびＢのサブピクセルを駆動することによって再現される。サブピクセルごとに、ＬＣアレイ内の対応するセルが存在する。後方照明源２０２は、カラーイメージを生成するのに必要な光を供給する。各サブピクセルの透過率は、対応するピクセルについてのＲＧＢデータ入力に基づいて、対応するＬＣセルに印加される電圧によって制御される。コントローラ２０８は、入力ＲＧＢデータを受け取り、それを必要なサイズおよび解像度にスケーリングし、各ピクセルについての入力データに基づいて、相異なるドライバに送達される信号の大きさを調節する。後方照明源によって供給される白色光の輝度は、ＬＣアレイによって空間変調され、サブピクセルの所望の輝度に従ってサブピクセルごとの光が選択的に減衰される。選択的に減衰された光はＲＧＢカラーフィルタアレイを通過し、
各ＬＣセルは、対応するカラーサブピクセルと共に登録されており
・・・（中略）・・・
　通常、後方照明をＬＣＤ装置に供給する光源は冷陰極蛍光灯（ＣＣＦＬ）である。図３に、当技術分野で周知のＣＣＦＬの典型的なスペクトルの略図を示す。図３に示すように、光源スペクトルは、それぞれ赤、緑、および青の光に対応する、３つの比較的狭い主波長範囲を含む。あるいは、当技術分野で周知のその他の適切な光源を使用することもできる。フィルタサブピクセルアレイ内のＲＧＢフィルタは通常、（例えば、対応するＣＲＴモニタの色域に可能な限り近い）十分に広い色域を再現するように設計されるが、例えば図３のＣＣＦＬスペクトルピークと概して重なる透過曲線を有するフィルタを選択することにより、表示効率を最大にするようにも設計される。一般には、所与のソース輝度に対して、より狭い透過スペクトルを有するフィルタはより広い色域を与えるが、ディスプレイ輝度が低下し、逆も同様である。例えば、電力効率が重要な問題である応用例では、色域幅がしばしば犠牲にされる。あるＴＶ応用例では、輝度が重要な問題であるが、鈍い色は許容されない。
　図４Ａに、既存のラップトップ・コンピュータ・ディスプレイの典型的なＲＧＢフィルタスペクトルを略図で示す。図４Ｂに、理想的なＮＴＳＣ色域（図４Ｂの点線の三角形領域）と比べた典型的なラップトップスペクトルの再現可能な色域（図４Ｂの破線の三角形領域）を表す色度図を示す。図４Ｂに示すように、ＮＴＳＣ色域は、典型的なラップトップ・コンピュータ・ディスプレイの色域よりもかなり広く、したがって、ＮＴＳＣ色域に含まれる多くの色の組合せは、典型的なカラー・ラップトップ・コンピュータ・ディスプレイでは再現することができない。」（公表公報の【０００１】〜【０００７】参照。）
　
　イ　「
Summary Of The Invention
　Many colors seen by humans are not discernible on standard red-green-blue(RGB) monitors. By using a display device with more than three primary colors, the reproducible color gamut of the display is expanded. Additionally or alternatively, the brightness level produced by the display may be significantly increased. Embodiments of the present invention provide systems and methods of displaying color images on a display device, for example, a thin profile display device, such as a liquid crystal display (LCD) device, using more than three primary colors.
　An aspect of the invention provides improved multi-primary display devices using more than three sub-pixels of different colors to create each pixel. In embodiments of this aspect of the invention, the use of four to six (or more) different color sub-pixels, per pixel, allows for a wider color gamut and higher luminous efficiency. In some embodiments, the number of sub-pixels per pixel and the color spectra of the different sub-pixels may be optimized to obtain a desired combination of a sufficiently wide color gamut, sufficiently high brightness, and sufficiently high contrast.
　- In some embodiments of the invention, the use of more than three primary colors may expand the reproducible color gamut of the display by enabling the use of relatively narrow wavelength ranges for some of the primary colors, e.g., red, green and blue, thus increasing the saturation of those primary colors. To compensate for a potentially reduced brightness level from such narrower ranges, in some embodiments of the invention, broad wavelength range primary colors, e.g., specifically designed yellow and/or cyan, may be used in addition to the narrow wavelength range colors, thus increasing the overall brightness of the display. In further embodiments of the invention, additional primary colors (e.g., magenta) and/or different primary color spectra may be used to improve various other aspects of the displayed image. In accordance with embodiments of the invention, an optimal combination of color gamut width and over-all display brightness can be achieved, to meet the requirements of a given system, by designing specific primary colors and sub-pixel arrangements.
　The color gamut and other attributes of a more-than-three primary color LCD device in accordance with embodiments of the invention may be controlled by controlling the spectral transmission characteristics of the different primary color sub-pixel filter elements used by the device. According to an aspect the invention, four or more different primary color sub-pixel filters are used, to produce four or more, respective, primary colors, for example, RGB and yellow (Y). In further embodiments of the invention, at least five different primary color sub-pixel filters are used, for example, RGB, Y and cyan (C) filters. In additional embodiments of the invention, at least six different primary color sub-pixel filters are used, for example, RGB, Y, C and magenta (M) filters.
　The primary color sub-pixel filters for a more-than-three primary color LCD device in accordance with the invention may be selected in accordance with various criteria, for example, to establish sufficient coverage of a desired color gamut, to maximize the brightness level that can be produced by the display, and/or to adjust the relative intensities of the primary colors according to a desired chromaticity standard.
　Further embodiments of the invention provide sequential color display devices, systems and methods, for example, sequential color LCD devices, using more than three primary colors. In such devices, color images are produced by sequentially back-illuminating an array of Liquid Crystal (LC) cells with light of four or more, pre-selected, primary colors, producing a periodic sequence of four or more, respective, primary color images, which are temporally integrated into a full color image by a viewer's vision system. In some embodiments, sequential back-illumination with four or more primary colors is produced by sequentially filtering light through four or more, respective, color filters. In other embodiments, a multi-color light source, for example, a plurality of light emitting diodes (LEDs) capable of separately producing any of the four or more primary colors, is activated to sequentially produce the different primary color back-illumination. 」（４頁９行〜５頁末行）
（日本語訳）
「
本発明の要約
　人間の見る多くの色は、標準的な赤−緑−青（ＲＧＢ）モニタ上では認識することができない。４つ以上の原色を用いるディスプレイ装置を使用することにより、ディスプレイの
再現可能な色域は拡張
加えて、または別法として、
輝度レベルを著しく向上させる
　本発明の一態様は、４つ以上の相異なる色のサブピクセルを使用して各ピクセルを生成する、改良型の多原色ディスプレイ装置を提供する。本発明のこの態様の諸実施形態では、ピクセル当たり４から６個（またはそれ以上）の相異なるカラーサブピクセルを使用することにより、色域をより広くし、視感度係数をより高くすることが可能となる。ある実施形態では、ピクセル当たりのサブピクセルの数と相異なるサブピクセルのカラースペクトルとを最適化して、所望の十分広い色域、十分高い輝度、および十分高いコントラストの組合せを得ることができる。
　本発明のある実施形態では、４つ以上の原色を使用することにより、その原色の一部、例えば赤、緑、および青に対して比較的狭い波長範囲を使用することが可能となり、したがってその原色の彩度が向上することによって、ディスプレイの再現可能な色域を拡張することができる。そのような狭い範囲からの輝度レベルが潜在的に低下するのを補償するために、本発明の一部の実施形態では、狭い波長範囲の色に加えて、広い波長範囲の原色、例えば専用に設計された黄および／またはシアンを使用することができ、それによってディスプレイの全輝度が向上する。本発明の別の実施形態では、追加の原色（例えばマゼンタ）および／または様々な原色スペクトルを使用して、表示するイメージの様々なその他の性質を改善することができる。本発明の諸実施形態によれば、特定の原色とサブピクセル構成を設計することにより、所与のシステムの要件に適合するように色域幅と全ディスプレイ輝度の最適な組合せを達成することができる。
　本発明の実施形態による４原色以上のＬＣＤ装置の色域およびその他の属性は、装置の使用する相異なる原色サブピクセルフィルタ素子のスペクトル透過特性を制御することによって制御することができる。本発明の一態様によれば、４つ以上の原色、例えばＲＧＢと黄（Ｙ）を生成するために、４つ以上の相異なる原色サブピクセルフィルタが使用される。本発明の別の実施形態では、少なくとも５つの相異なる原色サブピクセルフィルタ、例えばＲＧＢ、Ｙ、およびシアン（Ｃ）の各フィルタが使用される。本発明の追加の実施形態では、少なくとも６つの相異なる原色サブピクセルフィルタ、例えばＲＧＢ、Ｙ、Ｃ、およびマゼンタ（Ｍ）の各フィルタが使用される。
　本発明による４原色以上のＬＣＤ装置用の原色サブピクセルフィルタは、様々な基準に従って選択することができ、例えば所望の色域の十分な網羅を確立し、ディスプレイによって生成することができる輝度レベルを最大にし、かつ／または所望の色度標準に従って原色の相対輝度を調節するように選択することができる。」（公表公報の【０００７】〜【００１２】参照。）　
　ウ　「
Detailed Description Of Embodiments Of The Invention
　In the following description, various aspects of the invention are described, with reference to specific embodiments that provide a thorough understanding of the invention; however, it will be apparent to one skilled in the art that the present invention is not limited to the specific embodiments and examples described herein. Further, to the extent that certain details of the devices, systems and methods described herein are related to known aspects of color display devices, systems and methods, such details may have been omitted or simplified for clarity.
　Fig. 1B schematically illustrates a color gamut of a more-than-three-primary display in accordance with an embodiment of the invention, enclosed by a horseshoe diagram representing the perceivable color gamut of the human eye, on a chromaticity plane. The six-sided shape in Fig. 1B represents the color gamut of a six-primary display in accordance with an exemplary embodiment of the invention. This color gamut is significantly wider than a typical RGB color gamut, which is represented by the dotted triangular shape in Fig. 1B. ・・・（中略）・・・
　Fig. 2B schematically illustrates a more-than-three primary color display system in accordance with an embodiment of the invention. The system includes a light source 212, an array of liquid crystal (LC) elements (cells) 214, for example, an LC array using Thin Film Transistor (TFT) active-matrix technology, as is known in the art. The device further includes electronic circuits 220 for driving the LC array cells, e.g., by active-matrix addressing, as is known in the art, and an n-primary-color filter array 216, wherein n is greater than three, juxtaposed the LC array. In embodiments of the LCD devices according to embodiments of the invention, each full-color pixel of the displayed image is reproduced by more than three sub-pixels, each sub-pixel corresponding to a different primary color, e.g., each pixel is reproduced by driving a corresponding set of four or more sub-pixels. For each sub-pixel there is a corresponding cell in LC anay 214. Back-illumination source 212 provides the light needed to produce the color images. The transmittance of each of the sub-pixels is controlled by the voltage applied to a corresponding LC cell of array 214, based on the image data; NPT for the corresponding pixel. An n-primaries controller 218 receives the input data, e.g., in RGB or YCC format, optionally scales the data to a desired size and resolution, and adjusts the magnitude of the signal delivered to the different drivers based on the input data for each pixel. The intensity of white light provided by back-illumination source 212 is spatially modulated by elements of the LC array, selectively controlling the illumination of each sub-pixel according to the image data for the sub-pixel. The selectively attenuated light of each sub-pixel passes through a corresponding color filter of color filter array 216, thereby producing desired color sub-pixel combinations. The human vision system spatially integrates the light filtered through the different color sub-pixels to perceive a color image.
　The color gamut and other attributes of LCD devices in accordance with embodiments of the invention may be controlled by a number of parameters. These parameters include: the spectra of the back illumination element (light source), for example a Cold Cathode Fluorescent Light (CCFL); the spectral transmission of the LC cells in the LC anay; and the spectral transmission of the color filters. In a 3 -primaries display, the first two parameters, namely, the spectra of the light source and the spectral transmission of the LC cell, are typically dictated by system constraints and, therefore, the colors for the filters may be selected straightforwardly to provide the required colorimetric values at the corners of the desired RGB triangle, as shown in Fig. 1 A. To maximize the efficiency of 3 -primaries LCD devices, the spectral transmissions of the filters are designed to substantially overlap, to the extent possible, with the wavelength peaks of the light source. The filters selection in 3-primary LCD devices may be based primarily on maximizing the overall brightness efficiency. In this context, it should be noted that selecting filters having narrower spectral transmission curves, which result in more saturated primary colors, generally decreases the over-all brightness level of the display.
　For a multi-primary display with more than three primary colors, in accordance with embodiments of the invention, an infinite number of filter combinations can be selected to substantially overlap a required color gamut. The filter selection method of the invention may include optimizing the filter selection according to the following requirements: establishing sufficient coverage of a desired two-dimensional color gamut, for example, the NTSC standard gamut for wide-gamut applications and a conventional 3-color LCD gamut for higher brightness applications; maximizing the brightness level of a balanced white point that can be obtained from combining all the primary colors; and adjusting the relative intensities of the primary colors in accordance with a desired illumination standard, e.g., the D65 white point chromaticity standard of High Definition TV (HDTV) systems.
　Embodiments of the present invention provide systems and methods of displaying color images on a display device, for example, a thin profile display device, such as a liquid crystal display (LCD) device, using more than three primary colors. A number of embodiments of the invention are described herein in the context of an LCD device with more than three primary colors; wherein the number of color filters used per pixel is greater than three. This arrangement has several advantages in comparison to conventional RGB display devices. First, the n-primary display device in accordance with the invention enables expansion of the color gamut covered by the display. Second, the device in accordance with the invention enables a significant increase in the luminous efficiency of the display; in some cases, an increase of about 50 percent or higher may be achieved, as discussed below. This feature of the invention is particularly advantageous for portable (e.g., battery-operated) display devices, because increased luminous efficiency extends the battery life and overall weight of such devices. Third, a device in accordance with the invention enables improved graphics resolution by efficient utilization of a sub-pixel rendering technique of the present invention, as described in detail below with reference to specific embodiments of the invention.
　In some multi-primary display devices in accordance with embodiments of the invention, more than three sub-pixels of different colors are used to create each pixel. In embodiments of the invention, the use of four to six (or more) different color sub-pixels, per pixel, allows for a wider color gamut and higher luminous efficiency. In some embodiments, the number of sub-pixels per pixel and the transmittance spectrum of the different sub-pixel filters may be optimized to obtain a desired combination of a sufficiently wide color gamut, sufficiently high brightness, and sufficiently high contrast.
　For example, the use of more than three primaries in accordance with an embodiment of the invention may enable expansion of the reproducible color gamut by enabling the use of filters with narrower transmission curves (e.g., narrower effective transmission ranges) for the R, G and B color filters and, thus, increasing the saturation of the R, G and B sub-pixels. To compensate for such narrower ranges, in some embodiments of the invention, broader band sub-pixel filters may be used in addition to the RGB saturated colors, thus increasing the overall brightness of the display. In accordance with embodiments of the invention, an optimal combination of color gamut width and over-all picture brightness can be achieved, to meet the requirements of a given system, by appropriately designing the sub-pixel filters of the n-primary display and the filter arrangement.
　Figs. 5A and 6A schematically illustrate transmission curves for two, respective, alternative designs of a five-primary display device in accordance with embodiments of the invention, wherein the five primary colors used are red (R), green (G), blue (B), cyan (C) and yellow (Y), denoted collectively RGBCY. Figs. 5B and 6B schematically illustrate the resulting color gamut of the filter designs of Figs. 5 A and 6A, respectively. It will be appreciated that both designs produce wider gamut coverage and/or higher brightness levels than corresponding conventional three-color LCD devices, as discussed in details below. ・・・（中略）・・・
　Although the color gamut illustrated in Fig. 5B is comparable with that of a corresponding 3 -color LCD device (Fig. 4B), the brightness level that can be obtained using the filter design of Fig. 5A is about 50% higher than that of the corresponding 3-color LCD. The higher brightness levels achieved in this embodiment are attributed to the addition of yellow (Y) and cyan (C) color sub-pixels, which are specifically designed to have broad transmission regions and, thus, transmit more of the back-illumination than the RGB filters. This new filter selection criterion is conceptually different from the conventional selection criteria of primary color filters, which are typically designed to have narrow transmission ranges. The white point chromaticity coordinates for this embodiment, as calculated from the transmission spectra and the back-illumination spectra using methods known in the known art, are x=0.318; y=0.352.
　As shown in Fig. 6B, the color gamut for the filter design of Fig. 6A is considerably wider than that of the corresponding conventional 3-color LCD (Fig. 4B), even wider than a corresponding NTSC gamut, which is the ideal reference gamut for color CRT devices, with brightness levels roughly equal to those of a conventional 3-color LCD. In this embodiment, the over-all brightness level of the 5-color LCD device is similar to that of a 3-color LCD device having a much narrower color gamut. The white point coordinates for this embodiment, as calculated from the transmission spectra and the back-illumination spectra using methods known in the known art, are x=0.310; y=0.343. Other designs may be used in embodiments of the invention, including the use of different primaries and/or additional primaries (e.g., 6 color displays), to produce higher or lower brightness levels, a wider or narrower color gamut, or any desired combination of brightness level and color gamut, as may be suitable for specific applications.
　Fig. 7A schematically illustrates filter transmission curves of a six-primary display according to embodiments of the present invention, wherein the six primary colors are red, green, blue, cyan, magenta (M) and yellow, denoted collectively RGBCMY. Fig. 7B schematically illustrates the resulting color gamut of the filter design of Fig. 7A. The filter design of Figs. 7A and 7B is generally similar to that of Fig. 5A and 5B, except for the addition of a magenta (M) filter sub-pixel to each pixel. The white point coordinates for this exemplary six-primaries display are x=0.319 and y=0.321 and the brightness gam is equal to one.
　Fig. 15 schematically illustrates a chromaticity diagram of the color gamut discernable by humans, divided into six sub-gamut regions, namely red (R), green (G), blue (B), yellow (Y), magenta (M) and cyan (C) color sub-gamut regions, that may be used for selecting effective color filters spectra in accordance with embodiments of the invention. In some embodiments, more than three primary color filters, for example, five color filters as in the embodiments of Figs. 5A and 6A, or six color filters as in the embodiment of Fig. 7A, may be selected to produce chromaticity values within respective sub-gamut regions in Fig. 15. The exact chromaticity position selected for a given primary color within a respective sub-gamut region may be determined in accordance with specific system requirements, for example, the desired width of the color gamut in the chromaticity plane and the desired image brightness. As discussed in detail above, the system requirements depend on the specific device application, e.g., certain applications give preference to gamut size, while other applications give preference to image brightness. The sub-gamut regions in Fig. 15 represent approximated boundaries from which primary colors may be selected to provide large gamut coverage and/or high brightness levels, while maintaining a desired white point balance, in accordance with embodiments of the invention. The positions of the primary chromaticity values within the sub-gamut regions of Fig. 15, for given filter spectra selections and known back-illumination spectra, can be calculated using straightforward mathematical calculations, as are known in the art, to determine whether a desired color gamut is obtained for the given filter spectra selections. 」（１４頁１行〜２０頁４行）
（日本語訳）
「
本発明の実施形態の詳細な説明
　下記の説明では、本発明の完全な理解を可能にする特定の実施形態を参照して本発明の様々な態様を説明する。しかし、本発明が本明細書に記載の特定の実施形態および実施例に限定されないことは当業者には明らかであろう。さらに、本明細書に記載の装置、システム、および方法のある細部がカラーディスプレイ装置、システム、および方法の周知の態様に関係する範囲で、話をわかりやすくするためにそのような細部を省略または単純化していることがある。
　図１Ｂに、色度平面上で人間の目の知覚可能な色域を表す蹄鉄図によって囲まれた、本発明の一実施形態による３原色以上のディスプレイの色域を示す。図１Ｂの６つの辺を有する形状は、本発明の例示的実施形態による６原色ディスプレイの色域を表す。この色域は、図１Ｂの点線の三角形の形状で表される典型的なＲＧＢ色域よりもかなり広い。・・・（中略）・・・
　図２Ｂに、本発明の一実施形態による４原色以上のディスプレイシステムの略図を示す。このシステムは、光源２１２と、液晶（ＬＣ）素子（セル）のアレイ２１４、例えば当技術分野で周知の
薄膜トランジスタ（ＴＦＴ）アクティブマトリックス技術を用いるＬＣアレイ
ＬＣアレイセルを
アクティブマトリックスアドレッシングによって駆動する電子回路２２０
ｎが３より大きいとして、ＬＣアレイと並べられたｎ原色フィルタアレイ２１６
サブピクセルごとに、ＬＣアレイ２１４内の対応するセルが存在
後方照明源２１２は、カラーイメージを生成するのに必要な光を供給
後方照明源２１２によって供給される白色光
空間変調
選択的に減衰された各サブピクセルの光は
対応するカラーフィルタを通過し
　本発明の諸実施形態によるＬＣＤ装置の色域およびその他の属性は、いくつかのパラメータによって制御することができる。こうしたパラメータには、
後方照明素子（光源）、例えば冷陰極蛍光灯
　本発明の諸実施形態による３原色以上の多原色ディスプレイでは、必要な色域にほぼ重なるように無限の数のフィルタの組合せを選択することができる。本発明のフィルタ選択方法は、次の要件に従ってフィルタ選択を最適化することを含むことができる。その要件とは、所望の２次元色域の十分な網羅を確立すること、例えば、広色域応用例に対してはＮＴＳＣ規格の色域、高輝度応用例に対しては「従来の」３色ＬＣＤ色域を使用すること、すべての原色を組み合わせることによって得ることができる平衡白色点の輝度レベルを最大にすること、および所望の照明規格、例えば高精細度ＴＶ（ＨＤＴＶ）システムのＤ６５白色点色度規格に従って原色の相対輝度を調節することである。
　本発明の諸実施形態は、３つ以上の原色を使用するディスプレイ装置、例えば液晶ディスプレイ（ＬＣＤ）装置などのシンプロファイルディスプレイ装置上にカラーイメージを表示するシステムおよび方法を提供する。本明細書では、本発明のいくつかの実施形態を、ピクセル当たり使用するカラーフィルタ数が３つ以上である、３つ以上の原色を使用するＬＣＤ装置の状況で説明する。この構成には、従来のＲＧＢディスプレイ装置と比べていくつかの利点がある。まず、本発明によるｎ原色ディスプレイ装置により、ディスプレイの網羅する色域を拡張することが可能となる。第２に、本発明による装置により、ディスプレイの視感度係数を著しく向上させることが可能となり、ある場合には、下記で論じるように約５０パーセント以上の向上を達成することができる。本発明の特徴は、ポータブル（例えば電池駆動式の）ディスプレイ装置に対して特に有利である。視感度係数の向上により、そのような装置の電池寿命および全重量が伸びるからである。第３に、下記で本発明の特定の諸実施形態を参照してより詳細に説明するように、本発明による装置により、本発明のサブピクセルレンダリング技法を効率的に利用することによってグラフィックス解像度を向上させることが可能となる。
　本発明の諸実施形態によるある多原色ディスプレイ装置では、各ピクセルを作成するのに４つ以上の相異なる色のサブピクセルが使用される。本発明の諸実施形態では、ピクセル当たり４から６個（またはそれ以上）の相異なるカラーサブピクセルを使用することにより、色域をより広くし、視感度係数をより高くすることが可能となる。ある実施形態では、ピクセル当たりのサブピクセルの数と相異なるサブピクセルのカラースペクトルとを最適化して、所望の十分広い色域、十分高い輝度、および十分高いコントラストの組合せを得ることができる。
　例えば、本発明の一実施形態に従って３つ以上の原色を使用することにより、
Ｒ、Ｇ、およびＢカラーフィルタに対してより狭い透過曲線
を有するフィルタを使用する
Ｒ、Ｇ、およびＢサブピクセルの彩度が向上する
再現可能な色域を拡張する
そのような狭い範囲を補償するために
ＲＧＢ純色に加えてより広帯域のサブピクセルフィルタを使用すること
によってディスプレイの全輝度が向上する
　図５Ａおよび図６Ａに、本発明の諸実施形態による
５原色ディスプレイ装置
使用した５つの原色
赤（Ｒ）、緑（Ｇ）、青（Ｂ）、シアン（Ｃ）、および黄（Ｙ）
　図５Ｂに示す
色域は
対応する３色ＬＣＤ装置
の色域と同程度であるが
輝度レベルは
対応する３色ＬＣＤの輝度レベルよりも
高い
広い透過領域を有し
ＲＧＢフィルタよりも多くの後方照明を透過するように特に設計された黄（Ｙ）およびシアン（Ｃ）
　図６Ｂに示すように、図６Ａのフィルタ設計についての色域は、対応する従来の３色ＬＣＤの色域（図４Ｂ）よりもかなり広く、カラーＣＲＴ装置についての理想的な基準色域である対応するＮＴＳＣ色域よりも広く、輝度レベルは、大ざっぱには従来の３色ＬＣＤの輝度レベルと等しい。この実施形態では、５色ＬＣＤ装置の全輝度レベルは、ずっと狭い色域を有する３色ＬＣＤ装置の全輝度レベルと同様である。周知の技術分野で周知の方法を使用して透過スペクトルおよび後方照明スペクトルから計算した、この実施形態についての白色点座標は、ｘ＝０．３１０、ｙ＝０．３４３である。本発明の諸実施形態では、様々な原色および／または追加の原色（例えば６色ディスプレイ）の使用を含むその他の設計を使用して、特定の応用例に適した、より高いまたは低い輝度レベル、より広いまたは狭い色域、あるいは輝度レベルと色域の任意の所望の組合せを生成することができる。
　図７Ａに、本発明の諸実施形態による
６原色ディスプレイ
６つの原色は、赤、緑、青、シアン、マゼンタ（Ｍ）、および黄
マゼンタ（Ｍ）フィルタ
追加
図５Ａおよび図５Ｂのフィルタ
　図１５に、本発明の諸実施形態に従って効果的なカラーフィルタスペクトルを選択するのに使用することができる、６つの副色域、すなわち赤（Ｒ）、緑（Ｇ）、青（Ｂ）、黄（Ｙ）、マゼンタ（Ｍ）およびシアン（Ｃ）の各副色域に分割された、人間が認識可能な色域の色度図の略図を示す。ある実施形態では、図１５のそれぞれの副色域内の色度値を生成するのに、３つ以上の原色フィルタ、例えば図５Ａおよび図６Ａの実施形態のような５つのカラーフィルタ、または図７Ａの実施形態のような６つのカラーフィルタを選択することができる。それぞれの副色域内の所与の原色に対して選択される正確な色度位置は、特定のシステム要件、例えば色度平面内の色域の所望の幅や所望のイメージ輝度に従って決定することができる。上記で詳細に論じたように、システム要件は特定の装置応用例に依存し、例えばある応用例では色域のサイズが優先され、別の応用例ではイメージ輝度が優先される。図１５の副色域は、本発明の諸実施形態に従って、所望の白色点バランスを維持しながら広い色域網羅および／または高い輝度レベルを提供するように原色を選択することができる近似的境界を表す。所与のフィルタスペクトル選択と周知の後方照明スペクトルについての、図１５の副色域内の原色の色度値の位置は、当技術分野で周知の直接的な数学的計算を用いて計算することができ、その所与のフィルタスペクトル選択に対して所望の色域が得られるかどうかが判定される。」（公表公報の【００３３】〜【００４８】参照。）
　
　エ　「
CLAIMS
1. A color Liquid Crystal Display (LCD) device for displaying a color image using at least four different primary colors, the device comprising:
　an anay of Liquid Crystal (LC) elements;
　driving circuitry adapted to receive an input corresponding to said color image and to selectively activate the LC elements of said LC array to produce an attenuation pattern corresponding to a gray-level representation of said color image;
　and an array of color sub-pixel filter elements juxtaposed and in registry with said anay of LC elements such that each color sub-pixel filter element is in registry with one of said LC elements,
　wherein said anay of color sub-pixel filter elements comprises at least four types of color sub-pixel filter elements, which transmit light of said at least four primary colors, respectively.」（３４頁１〜１６行）
（日本語訳）
「
特許請求の範囲
１．
少なくとも４つの相異なる原色を使用してカラーイメージを表示するカラー液晶ディスプレイ（ＬＣＤ）装置
　
液晶（ＬＣ）素子のアレイと、
　
前記カラーイメージに対応する入力を受け取り、前記ＬＣアレイの前記ＬＣ素子を選択的に活動化し、前記カラーイメージのグレイレベル表現に対応する減衰パターンを生成するように適合された駆動回路と、
　
前記ＬＣ素子のアレイと並べられ、各カラー・サブピクセル・フィルタ素子が前記ＬＣ素子の１つと共に登録されるように前記ＬＣ素子のアレイと共に登録されたカラー・サブピクセル・フィルタ素子のアレイであって、
　
前記少なくとも４つの原色の光をそれぞれ透過する少なくとも４つのタイプのカラー・サブピクセル・フィルタ素子を含むカラー・サブピクセル・フィルタ素子のアレイとを備える
　
オ　本発明の一実施形態による５原色ディスプレイ装置用の１つの例示的フィルタ設計の透過曲線を示す概略的グラフであるＦｉｇ．５Ａの記載から、各カラーフィルタの４００ｎｍから７５０ｎｍの波長範囲における透過スペクトルの形状に関して、次のことが見て取れる。
（ア）
細線で示されるカラーフィルタの透過スペクトルの形状が、約５６０ｎｍ以下の波長での透過率は０に近い値
であり、約５６０ｎｍから約６２０ｎｍの波長範囲では、波長が大きくなるにつれて透過率が大きくなり、約６９０ｎｍの波長での透過率が約０．９７で最大であり、約６２０ｎｍ以上の波長での透過率は概ね最大値の近傍の値
である形状である
　
（イ）
破線で示されるカラーフィルタの透過スペクトルの形状が、約４７０ｎｍ以下の波長での透過率及び約６１０ｎｍ以上の波長での透過率はほぼ０であり、約５４０ｎｍの波長での透過率が約０．５５で最大であり、約４７０ｎｍから約６１０ｎｍの波長範囲にわたる山状の形状である
　
（ウ）
太線で示されるカラーフィルタの透過スペクトルの形状が、４００ｎｍの波長での透過率が約０．４であり、約４６０ｎｍの波長での透過率が約０．８で最大であり、約５７０ｎｍ以上の波長での透過率がほぼ０であり、約４００ｎｍから約５７０ｎｍの波長範囲にわたる山状の形状である
　
（エ）
一点鎖線で示されるカラーフィルタの透過スペクトルの形状が、４００ｎｍの波長での透過率が約０．２であり、４００ｎｍから約４５０ｎｍの波長範囲では波長が大きくなるにつれて透過率が大きくなり、約４５０ｎｍから約５５０ｎｍの波長範囲での透過率は約０．９で最大であり、約５５０ｎｍから約６５０ｎｍの波長範囲では波長が大きくなるにつれて透過率が小さくなり、約６５０ｎｍ以上の波長での透過率はほぼ０であり、約４００ｎｍから約６５０ｎｍの波長範囲にわたる台形の形状である
　
（オ）
点線で示されるカラーフィルタの透過スペクトルの形状が、約４６０ｎｍ以下の波長での透過率がほぼ０であり、約４６０ｎｍから約５００ｎｍの波長範囲では波長が大きくなるにつれて透過率が大きくなり、約５００ｎｍ以上の波長範囲での透過率は約０．９で最大である形状である
　
　カ　Ｆｉｇ．５Ａにおいて、細線、破線、太線、一点鎖線及び点線で示されるカラーフィルタの透過スペクトルの形状は、それぞれ、赤（Ｒ）色の光を透過するＲカラーフィルタの透過スペクトルの形状、緑（Ｇ）色の光を透過するＧカラーフィルタの透過スペクトルの形状、青（Ｂ）色の光を透過するＢカラーフィルタの透過スペクトルの形状、シアン（Ｃ）色の光を透過するＣカラーフィルタの透過スペクトルの形状、及び、黄（Ｙ）色の光を透過するＹカラーフィルタの透過スペクトルの形状であることが当業者に自明である。
　したがって、上記アないしオからみて、引用例には、
「対応するカラーサブピクセルと共に登録されている液晶素子のアレイと、
　カラーイメージに対応する入力を受け取り、前記液晶素子を選択的に活動化し、前記カラーイメージのグレイレベル表現に対応する減衰パターンを生成するように適合された駆動回路と、
　前記液晶素子のアレイと並べられ、前記液晶素子の１つと共に各々登録される、少なくとも４つの原色の光をそれぞれ透過する少なくとも４つのタイプのカラー・サブピクセル・フィルタ素子を含むカラー・サブピクセル・フィルタ素子のアレイと、
　を備えるという構成を採用して、再現可能な色域を拡張し、加えて、または別法として、輝度レベルを著しく向上させた、少なくとも４つの相異なる原色を使用してカラーイメージを表示するカラー液晶ディスプレイ装置であって、
　具体的には、
　カラーイメージを生成するのに必要な光をカラー液晶ディスプレイ装置に供給する後方照明素子（光源、例えば冷陰極蛍光灯）を有する後方照明源を含み、
　前記液晶素子のアレイは、薄膜トランジスタアクティブマトリックス技術を用い、サブピクセルごとに対応する液晶素子が存在し、前記後方照明源によって供給される白色光を空間変調し選択的に減衰するものであり、
　前記駆動回路は、前記液晶素子をアクティブマトリックスアドレッシングによって駆動する電子回路であり、
　前記カラー・サブピクセル・フィルタ素子のアレイは、前記液晶素子のアレイと並べられ、選択的に減衰された各サブピクセルの光が対応するカラーフィルタを通過するｎ（ｎ＞３）原色フィルタアレイであって、
　赤（Ｒ）、緑（Ｇ）、青（Ｂ）カラーフィルタに対してより狭い透過曲線を有するフィルタを使用してＲ、Ｇ及びＢサブピクセルの彩度を向上させ、再現可能な色域を拡張し、そのような狭い範囲を補償するためにＲＧＢ純色に加えてより広帯域のサブピクセルフィルタを使用することによってディスプレイの全輝度を向上させたものであり、
　例えば、Ｒ、Ｇ、Ｂ、シアン（Ｃ）及び黄（Ｙ）の５つの原色を使用した５原色ディスプレイ装置とし、５原色フィルタアレイのカラーフィルタとして、前記各原色の光をそれぞれ透過するＲ、Ｇ、Ｂ、Ｃ及びＹカラーフィルタを用い、Ｙ及びＣの各カラーフィルタを広い透過領域を有しＲＧＢフィルタよりも多くの後方照明を透過するように特に設計する、具体的には、Ｒカラーフィルタの透過スペクトルの形状を、約５６０ｎｍ以下の波長での透過率は０に近い値で、約５６０ｎｍから約６２０ｎｍの波長範囲では波長が大きくなるにつれて透過率が大きくなり、約６９０ｎｍの波長での透過率が約０．９７で最大で、約６２０ｎｍ以上の波長での透過率は概ね最大値の近傍の値である形状とし、Ｇカラーフィルタの透過スペクトルの形状を、約４７０ｎｍ以下の波長での透過率及び約６１０ｎｍ以上の波長での透過率はほぼ０で、約５４０ｎｍの波長での透過率が約０．５５で最大である約４７０ｎｍから約６１０ｎｍの波長範囲にわたる山状の形状とし、Ｂカラーフィルタの透過スペクトルの形状を、４００ｎｍの波長での透過率が約０．４で、約４６０ｎｍの波長での透過率が約０．８で最大で、約５７０ｎｍ以上の波長での透過率がほぼ０である約４００ｎｍから約５７０ｎｍの波長範囲にわたる山状の形状とし、Ｃカラーフィルタの透過スペクトルの形状を、４００ｎｍの波長での透過率が約０．２で、４００ｎｍから約４５０ｎｍの波長範囲では波長が大きくなるにつれて透過率が大きくなり、約４５０ｎｍから約５５０ｎｍの波長範囲での透過率は約０．９で最大であり、約５５０ｎｍから約６５０ｎｍの波長範囲では波長が大きくなるにつれて透過率が小さくなり、約６５０ｎｍ以上の波長での透過率はほぼ０である約４００ｎｍから約６５０ｎｍの波長範囲にわたる台形の形状とし、Ｙカラーフィルタの透過スペクトルの形状を、約４６０ｎｍ以下の波長での透過率がほぼ０であり、約４６０ｎｍから約５００ｎｍの波長範囲では波長が大きくなるにつれて透過率が大きくなり、約５００ｎｍ以上の波長範囲での透過率は約０．９で最大である形状とすることで、色域は対応する３色ＬＣＤ装置の色域と同程度であるが輝度レベルは対応する３色ＬＣＤの輝度レベルよりも高いものとし、さらに、５原色ディスプレイ装置のＲＧＢＣＹカラーフィルタにマゼンタ（Ｍ）カラーフィルタを追加することで、赤、緑、青、シアン、マゼンタ及び黄の６つの原色を使用した６原色ディスプレイとすることもできるカラー液晶ディスプレイ装置。」の発明（以下「引用発明」という。）が記載されているものと認められる。
　
４　対比
　本願発明と引用発明とを対比する。
（１）引用発明の「カラーイメージ」、「カラーイメージを表示するカラー液晶ディスプレイ装置」、「後方照明素子（光源、例えば冷陰極蛍光灯）」、「後方照明源」、「カラーイメージのグレイレベル表現に対応する減衰パターン」、「後方照明源によって供給される白色光を空間変調し選択的に減衰する」、「液晶素子」、「液晶素子のアレイ」、「カラーサブピクセル」、「カラー・サブピクセル・フィルタ素子」、「カラー・サブピクセル・フィルタ素子のアレイ」及び「少なくとも４つの原色の光をそれぞれ透過する少なくとも４つのタイプのカラー・サブピクセル・フィルタ素子」は、それぞれ、本願発明の「カラー画像」、「カラー画像を表示する装置」、「光生成素子」、「照明源」、「カラー画像の階調表現に対応する減衰パターン」、「照明源が生成する光を選択的に減衰可能な」、「減衰素子」、「減衰素子のアレイ」、「カラー副画素」、「カラー副画素フィルタ素子」、「カラー副画素フィルタ素子のアレイ」及び「各カラー副画素フィルタ素子が、ｎ個の異なる原色のうち１つの光を転送可能であり、ｎが４以上であり、」に相当する。
　
（２）引用発明の「照明源（後方照明源）」は、「光生成素子（後方照明素子（光源、例えば冷陰極蛍光灯））」を有するから、本願発明の「照明源」と、「光生成素子を備えている」点で一致する。
（３）引用発明の「減衰素子のアレイ（液晶素子のアレイ）」は、薄膜トランジスタアクティブマトリックス技術を用い、サブピクセルごとに対応する液晶素子が存在し、「照明源が生成する光を選択的に減衰可能な（後方照明源によって供給される白色光を空間変調し選択的に減衰する）」ものであり、前記液晶素子は、「カラー画像の階調表現に対応する減衰パターン（カラーイメージのグレイレベル表現に対応する減衰パターン）」を生成するように適合された駆動回路により選択的に活動化されるものであるから、本願発明の「減衰素子のアレイ」と、「カラー画像の階調表現に対応する減衰パターンに応じて、照明源が生成する光を選択的に減衰可能な」点で一致する。
　
（４）引用発明の「カラー副画素フィルタ素子のアレイ（カラー・サブピクセル・フィルタ素子のアレイ）」は、具体的には、「減衰素子のアレイ（液晶素子のアレイ）」と並べられ、選択的に減衰された各「副画素（サブピクセル）」の光が対応するカラーフィルタを通過するｎ（ｎ＞３）原色フィルタアレイであるから、「減衰素子のアレイ」からの光を受光していることは明らかである。また、引用発明の「カラー副画素フィルタ素子のアレイ」は「各カラー副画素フィルタ素子が、ｎ個の異なる原色のうち１つの光を転送可能であり、ｎが４以上である（少なくとも４つの原色の光をそれぞれ透過する少なくとも４つのタイプのカラー・サブピクセル・フィルタ素子を含む」。
　よって、引用発明の「カラー副画素フィルタ素子のアレイ」と本願発明の「カラー副画素フィルタ素子のアレイ」とは「減衰素子のアレイからの選択的に減衰した光を受光することができる」点及び「各カラー副画素フィルタ素子が、ｎ個の異なる原色のうち１つの光を転送可能であり、ｎが４以上であ」る点で一致する。
　
（５）引用発明の「カラー画像を表示する装置（カラー液晶ディスプレイ装置）」は、「減衰素子のアレイ（液晶素子のアレイ）」と、「カラー副画素フィルタ素子のアレイ（カラー・サブピクセル・フィルタ素子のアレイ）」と、を備えるという構成を採用し、具体的には、「照明源（後方照明源）」を含んでいるから、本願発明の「カラー画像を表示する装置」と、「照明源と、減衰素子のアレイと、カラー副画素フィルタ素子のアレイと、を備えている装置」である点で一致する。
　
（６）上記（１）ないし（５）から、本願発明と引用発明とは、
「カラー画像を表示する装置であって、
　光生成素子を備えている照明源と、
　前記カラー画像の階調表現に対応する減衰パターンに応じて、前記照明源が生成する光を選択的に減衰可能な減衰素子のアレイと、
　前記減衰素子のアレイからの選択的に減衰した光を受光することができるカラー副画素フィルタ素子のアレイであって、各カラー副画素フィルタ素子が、ｎ個の異なる原色のうち１つの光を転送可能であり、ｎが４以上であるカラー副画素フィルタ素子のアレイと、
を備えている装置。」である点で一致し、次の点で相違する。
　
相違点：
　前記光生成素子を備えている照明源が、
　本願発明では、３個以上の異なる波長スペクトルの各々の光を生成可能な３個以上の発光ダイオードを備えている、３個以上の光生成素子を備え、各々の光を同時に生成可能なものであり、前記３個以上の異なる波長スペクトルのうち少なくとも２つのスペクトルの実質的にその全体が前記副画素フィルタ素子の少なくとも１つを完全に透過することが可能であるのに対して、
　引用発明では、そのようにはなっていない点。
　
５　判断
　上記相違点について検討する。
（１）赤色、緑色及び青色を個別に発光する複数の発光素子を有する光源をバックライトとして用いた液晶ディスプレイ装置は、本願優先日前に周知であり（以下「周知技術１」という。例．特開２００２−２４４１２２号公報（【０００７】〜【００１０】、【００２４】参照。）、特開２００２−１３３９３２号公報（【０００２】〜【００１１】参照。）、特開平１０−２２１６９２号公報（【０００２】〜【００１３】、【０１２７】参照。）。　そして、周知技術１は、冷陰極蛍光管をバックライトとするのに比較して、輝度の低下の抑制及び色再現範囲の拡大に有利で（上記特開２００２−２４４１２２号公報参照。）、低い直流電圧で駆動でき、しかもノイズを発生することがない点でも有利で（上記特開２００２−１３３９３２号公報参照。）、しかも小型化、低消費電力、低発熱の点でも有利（上記特開平１０−２２１６９２号公報参照。）である。
　
（２）発光ピーク波長が約６３０ｎｍであり、約５７０ｎｍ以上の波長範囲のうちの所定範囲にわたって発光する赤色発光ダイオード、発光ピーク波長が約５２０ｎｍから約５５０ｎｍまでの範囲にあり、約４６０ｎｍから約６５０ｎｍまでの波長範囲のうちの所定範囲にわたって発光する緑色発光ダイオード、及び、発光ピーク波長が約４５０ｎｍから約４７０ｎｍまでの範囲にあり、約４００ｎｍから約５３０ｎｍまでの波長範囲のうちの所定範囲にわたって発光する青色発光ダイオードを用いた照明源は、本願優先日前に周知である（以下「周知技術２」という。例．上記特開２００２−２４４１２２号公報（【００２３】の「図２は本実施形態における・・・各色ＬＥＤの発光スペクトルを示している。」、【００２５】の「各色ＬＥＤの発光ピーク波長を、Ｒ＝６３０ｎｍ、Ｇ＝５５０ｎｍ、Ｂ＝４５０ｎｍとした」、図２の「ＬＥＤ発光スペクトル」参照。）、特開２００２−２２９０２３号公報（【０００３】の「液晶パネルを照明するための光源としては、・・・白色ＬＥＤに代えて、Ｒ，Ｇ，Ｂの各色の光を発する３つのＬＥＤを用いることも可能」、【００１８】の「ＬＥＤ光源３は、赤色ＬＥＤチップ３０（３０Ｒ）、緑色ＬＥＤチップ３０（３０Ｇ）および青色ＬＥＤチップ３０（３０Ｂ）を一纏めに樹脂パッケージした構成とされている。」、【００２３】の「３種類のＬＥＤチップ３０のそれぞれの発光強度は、たとえば図５の実践で示すような分布となっている。」、図５参照。）、特開平１１−２６０１３５号公報（【０００３】の「従来、ＬＥＤを光源とした面状の光源装置としては、各種電気機器等の液晶表示画面のバックライト用の面光源装置が知られている。」、【０００５】の「赤（Ｒ），緑（Ｇ），青（Ｂ）の３原色の光を出射する３種のＬＥＤを用い、これら３つのＬＥＤからの出射光を混合させて、白色光を作る」、【０００７】の「図３は、一般的なＲ，Ｇ，Ｂの３原色のＬＥＤのスペクトルを示す図である。」、図３参照。））。
　
（３）引用発明の「光生成素子（後方照明素子（光源）」は、例えば冷陰極蛍光灯であるところ、引用発明において、輝度の低下の抑制、色再現範囲の拡大、小型化、低消費電力化、低駆動電圧化、低発熱化、低ノイズ化などのため、発光ピーク波長が約６３０ｎｍであり、約５７０ｎｍ以上の波長範囲のうちの所定範囲にわたって発光する赤色発光ダイオード、発光ピーク波長が約５２０ｎｍから約５５０ｎｍまでの範囲にあり、約４６０ｎｍから約６５０ｎｍまでの波長範囲のうちの所定範囲にわたって発光する緑色発光ダイオード、及び、発光ピーク波長が約４５０ｎｍから約４７０ｎｍまでの範囲にあり、約４００ｎｍから約５３０ｎｍまでの波長範囲のうちの所定範囲にわたって発光する青色発光ダイオードを複数の「光生成素子」として備え、前記「照明源（後方照明源）」を当該各発光ダイオードを同時に発光させ、赤色、緑色及び青色の光を混色して白色光とするような構成（上記特開２００２−１３３９３２号公報の【００１１】の「赤色ＬＥＤ、緑色ＬＥＤおよび青色ＬＥＤが発する赤、緑、青の光をほぼ完全に混色させ、出射光のほとんどを白色光として出射することができる」、上記特開平１０−２２１６９２号公報の【０１２７】の「発光パネル６１ａより射出された、Ｒ，Ｇ，Ｂのそれぞれの光を混色して白色光に変換する混色板６１ｂ（拡散手段、導光手段）」参照。）となすことは、当業者が周知技術１及び周知技術２に基づいて容易に想到することができた程度のことである。
　
（４）上記（３）のようになした引用発明の「照明源（後方照明源）」は、本願発明の「ｍ個の異なる波長スペクトルの各々の光を同時に生成可能な複数の光生成素子を備えている照明源であって、ｍが３以上であり、前記複数の光生成素子は、複数の発光ダイオードを備えている、照明源」に相当する。
　
（５）引用発明において、Ｃカラーフィルタの透過スペクトルの形状を、４００ｎｍの波長での透過率が約０．２で、４００ｎｍから約４５０ｎｍの波長範囲では波長が大きくなるにつれて透過率が大きくなり、約４５０ｎｍから約５５０ｎｍの波長範囲での透過率は約０．９で最大であり、約５５０ｎｍから約６５０ｎｍの波長範囲では波長が大きくなるにつれて透過率が小さくなり、約６５０ｎｍ以上の波長での透過率はほぼ０である約４００ｎｍから約６５０ｎｍの波長範囲にわたる台形の形状であり、Ｙカラーフィルタの透過スペクトルの形状を、約４６０ｎｍ以下の波長での透過率がほぼ０であり、約４６０ｎｍから約５００ｎｍの波長範囲では波長が大きくなるにつれて透過率が大きくなり、約５００ｎｍ以上の波長範囲での透過率は約０．９で最大である形状であるところ、当該Ｃカラーフィルタは、上記（３）の緑色発光ダイオードが発する、発光ピーク波長が約５２０ｎｍから約５５０ｎｍまでの範囲にあり、約４６０ｎｍから約６５０ｎｍまでの波長範囲のうちの所定範囲にわたる緑色光、及び、上記（３）の青色発光ダイオードが発する、発光ピーク波長が約４５０ｎｍから約４７０ｎｍまでの範囲にあり、約４００ｎｍから約５３０ｎｍまでの波長範囲のうちの所定範囲にわたる青色光をほぼ透過し、上記Ｙカラーフィルタは、上記（３）の赤色発光ダイオードが発する、発光ピーク波長が約６３０ｎｍであり、約５７０ｎｍ以上の波長範囲のうちの所定範囲にわたる赤色光、及び、上記（３）の緑色発光ダイオードが発する、発光ピーク波長が約５２０ｎｍから約５５０ｎｍまでの範囲にあり、約４６０ｎｍから約６５０ｎｍまでの波長範囲のうちの所定範囲にわたる緑色光をほぼ透過するから、引用発明のＣカラーフィルタ及びＹカラーフィルタは、上記（３）の光源が発する３個の波長スペクトルのうち２つのスペクトルの実質的にその全体を完全に透過することが可能である。
　したがって、上記（３）のようになした引用発明のＣカラーフィルタ及びＹカラーフィルタは、本願発明の「ｍ個の波長スペクトルのうち少なくとも２つのスペクトルの実質的にその全体を完全に透過することが可能である」との構成を具備することになる。
　
（６）上記（３）ないし（５）からみて、引用発明において、相違点に係る本願発明の構成となすことは、当業者が周知技術１及び周知技術２に基づいて容易になし得た程度のことである。
　
（７）本願発明の奏する効果は、引用発明の奏する効果、周知技術１の奏する効果及び周知技術２の奏する効果から当業者が予測できた程度のものである。
　
（８）以上のとおりであるから、本願発明は、当業者が引用例に記載された発明、周知技術１及び周知技術２に基づいて容易に発明をすることができたものである。
　
６　むすび 
　本願発明は、当業者が引用例に記載された発明、周知技術１及び周知技術２に基づいて容易に発明をすることができたものであるから、特許法第２９条第２項の規定により特許を受けることができない。
　よって、結論のとおり審決する。